(57)【要約】【課題】ペーパーロールが保管される室内における装飾性を高める包装具を提供する。【解決手段】  ペーパーロールカバー１は、ペーパーロール７０に装着可能であり、ペーパーロール７０の少なくとも一部を被覆する被覆部３と、被覆部３におけるペーパーロール７０との当接面とは異なる位置に配設される装飾部５とを備え、装飾部５は、所定方向に突出することを特徴とする構成である。【選択図】図１
2019001489.tif 000002
【特許請求の範囲】
【請求項１】
ペーパーロールに装着可能な包装具であって、
前記ペーパーロールの少なくとも一部を被覆する被覆部と、
前記被覆部における前記ペーパーロールとの当接面とは異なる位置に配設される装飾部と、
を備え、
前記装飾部は、所定方向に突出することを特徴とする包装具。
【請求項２】
前記ペーパーロールを前記被覆部により被覆した状態を保持する係止部、
をさらに備えることを特徴とする請求項１に記載の包装具。
【請求項３】
前記装飾部は、所定方向に突出する状態を保持する補強材、
をさらに備えることを特徴とする請求項１又は２に記載の包装具。
【請求項４】
前記装飾部は、前記被覆部により被覆された複数の前記ペーパーロールが連設されてなる一のキャラクターの一部に対応することを特徴とする請求項１乃至３のいずれかに記載の包装具。
【請求項５】
前記被覆部により被覆された複数の前記ペーパーロール同士を係合する係合部、
をさらに備えることを特徴とする請求項１乃至４のいずれかに記載の包装具。
【請求項６】
前記係合部は、前記装飾部の所定位置に配設されることを特徴とする請求項５に記載の包装具。
【発明の詳細な説明】
【技術分野】
【０００１】
本発明は、ペーパーロールの包装具に関し、特に立体状の装飾を設ける技術に関する。
【背景技術】
【０００２】
従来、使用前のペーパーロールを保管する場合、包装されていない状態で置くことが一般的であった。そうすると、包装されていない使用前のペーパーロールに埃等が付着し、清潔性が損なわれることがあった。また、包装されていない状態のペーパーロールが置かれている状態は、設置場所の美観を損なうものであった。
【０００３】
そこで従来、ペーパーロールの側面部を覆うことのできる包装紙が提供されている（例えば特許文献１）。特許文献１に示される包装紙によると、ペーパーロールの側面部を覆うことにより、ペーパーロールに埃が付着することを防止できる。
【先行技術文献】
【特許文献】
【０００４】
【特許文献１】特開２００９−２８０２３２号公報
【発明の概要】
【発明が解決しようとする課題】
【０００５】
しかしながら、特許文献１に示される包装紙は、単にペーパーロールの側面部を覆うものであり、一定の美観を有するものの、側面部が包装されたペーパーロールが置かれていることを看者に認識させるに過ぎず、室内における装飾性を高めるというものではないとの問題がある。
【０００６】
そこで本発明は、上記の問題点を解決するためになされたものであり、ペーパーロールが保管される室内の装飾性を高める包装具を提供することを目的とする。
【課題を解決するための手段】
【０００７】
上記の目的を達成するため、請求項１の発明は、ペーパーロールに装着可能な包装具であって、前記ペーパーロールの少なくとも一部を被覆する被覆部と、前記被覆部における前記ペーパーロールとの当接面とは異なる位置に配設される装飾部とを備え、前記装飾部は、所定方向に突出することを特徴とする構成である。
【０００８】
請求項２の発明は、請求項１に記載の包装具において、前記ペーパーロールを前記被覆部により被覆した状態を保持する係止部をさらに備え、前記装飾部は、前記被覆部が前記ペーパーロールを被覆する状態において、前記ペーパーロールを介して前記係止部と略対向する位置に配設されることを特徴とする構成である。
【０００９】
請求項３の発明は、請求項１又は２に記載の包装具において、前記装飾部は、所定方向に突出する状態を保持する補強材をさらに備えることを特徴とする構成である。
【００１０】
請求項４の発明は、請求項１乃至３のいずれかに記載の包装具において、前記装飾部は、前記被覆部により被覆された複数の前記ペーパーロールが連設されてなる一のキャラクターの一部に対応することを特徴とする構成である。
【００１１】
請求項５の発明は、請求項１乃至４のいずれかに記載の包装具において、前記被覆部により被覆された複数のペーパーロール同士を係合する係合部をさらに備えることを特徴とする構成である。
【００１２】
請求項６の発明は、請求項５に記載の包装具において、前記係合部は、前記装飾部の所定位置に配設されることを特徴とする構成である。
【発明の効果】
【００１３】
本発明によれば、ペーパーロールが置かれる室内の装飾性を高めることが可能となる。
【図面の簡単な説明】
【００１４】
【図１】第１実施形態におけるペーパーロールカバーのペーパーロールへの装着態様の一例を示す図である。
【図２】ペーパーロールカバーのペーパーロールへの装着態様の一例を示す側面図である。
【図３】ペーパーロールカバーのペーパーロールへの装着態様の一例を示す平面図である。
【図４】ペーパーロールに装着されていない状態のペーパーロールカバーの一例を示す図である。
【図５】第１実施形態におけるペーパーロールカバーの一例を示す図である。
【図６】第２実施形態におけるペーパーロールカバーのペーパーロールへの装着態様の一例を示す図である。
【図７】ペーパーロールカバーを装着したペーパーロールを連設する場合の一例を示す図である。
【図８】ペーパーロールカバーを装着したペーパーロールを連設する場合の一例を示す側面図である。
【図９】ペーパーロールに装着されていない状態のペーパーロールカバーの一例を示す図である。
【図１０】第２実施形態におけるペーパーロールカバーの装飾部の拡大図である。
【図１１】ペーパーロールカバーを装着したペーパーロールが連設される場合の一例を示す図である。
【図１２】一のペーパーロールカバーが複数のペーパーロールを被覆する場合の一例を示す図である。
【発明を実施するための形態】
【００１５】
以下、本発明に関する好ましい実施形態を、図面を参照しつつ詳細に説明する。なお、以下に説明する実施形態において、互いに共通する部材には同一符号を付しており、それらについての重複する説明は省略する。
【００１６】
（第１実施形態）
図１は、本発明の一実施形態であるペーパーロールカバー１がペーパーロール７０に装着された状態を示す図である。ペーパーロールカバー１は、布や樹脂、或いは紙などにより構成される。ペーパーロールカバー１は、例えばトイレットペーパーやキッチンペーパーなどにより構成されるペーパーロール７０の外周に巻回するなどにより、ペーパーロール７０を被覆する。
【００１７】
ペーパーロールカバー１は、ペーパーロール７０を被覆する被覆部３と、装飾部５とを備える。被覆部３は、ペーパーロール７０の全部又は一部を被覆可能な大きさに構成される。図例では、被覆部３は、ペーパーロール７０の外周に巻回可能な長さと、ペーパーロール７０の軸方向長さと略同じ幅とを有する。被覆部３は、ペーパーロール７０の外周に当接することにより、ペーパーロール７０に塵芥等が付着するのを防止可能である。被覆部３は、ペーパーロール７０と当接する面とは異なる面上にデザイン部４を備える。デザイン部４は、刺しゅうや印刷により被覆部３の面上に形成される。図例では、動物の顔を模したデザイン部４が被覆部３に形成されており、ペーパーロールカバー１がペーパーロール７０に装着されることにより、ペーパーロール７０の美観を高める。
【００１８】
装飾部５は、被覆部３におけるペーパーロール７０との当接面とは異なる位置に配設される。図例では、動物の耳状の装飾部５ａ（５）が、ペーパーロール７０に巻回した状態における被覆部３の上方に立設される。装飾部５ａ（５）は、袋状に縫製された布や樹脂、或いは木や金属などにより構成される。図例において装飾部５ａ（５）は上方向に突出する。これにより、ペーパーロールカバー１が装着されたペーパーロール７０を見た者に動物を模した置物であるかのような印象を与える。そのため、ペーパーロールカバー１が装着されたペーパーロール７０が室内に配置されている場合に、単に使用前のペーパーロール７０が置かれているという印象ではなく、装飾を施された置物が置かれているという印象を看者に与えることができ、室内の装飾性を高めるのである。
【００１９】
装飾部５ａ（５）は、袋状に縫製された布や樹脂の内部に、厚紙や布或いは綿などにより構成される補強材（図示せず）を備えてもよい。補強材を備えることにより、装飾部５ａ（５）は突出した状態を良好に保持できる。ペーパーロールカバー１における動物の耳状の装飾部５ａ（５）が上方向に突出した状態を保持することにより、ペーパーロール７０は、恰も動物を模した置物のように室内の装飾性をより高めるのである。装飾部５ａ（５）は、被覆部３に縫合され、或いは接着剤等により被覆部３に接着される。図例では、装飾部５ａ（５）は、被覆部３の上端部付近に配設される。
【００２０】
ペーパーロールカバー１は、デザイン部４の下方にリボン状の装飾部５ｂ（５）を備える。装飾部５ｂ（５）は、被覆部３におけるデザイン部４と同一の面上に配設される。装飾部５ｂ（５）は被覆部３に縫合され、或いは接着剤等により接着される。装飾部５ｂ（５）は、例えば袋状に縫製された布や樹脂により構成され、袋内に厚紙や布、或いは綿などにより構成される補強材（図示せず）を備えてもよい。装飾部５ｂ（５）は、ペーパーロール７０の軸心と反対方向に突出しており、恰もリボンを有する動物の置物であるかのような印象を看者に与えることができる。
【００２１】
図２は、ペーパーロール７０に装着されたペーパーロールカバー１の一例を示す側面図である。ペーパーロールカバー１は、ペーパーロール７０を介して動物の顔状のデザイン部４及び装飾部５ｂ（５）と略反対側に動物の尾を模した装飾部５ｃ（５）を備える。装飾部５ｃ（５）は、ペーパーロール７０の軸心とは反対方向に突出する。ペーパーロールカバー１がペーパーロール７０に装着された状態において、装飾部５ｂ（５）やデザイン部４と装飾部５ｃ（５）とはペーパーロール７０を介して略反対側に配置される。そのため、ペーパーロール７０を複数の異なる方向から見た場合においても、動物を模した置物であるかのような印象を看者に与えることができ、室内の装飾性をより高める。
【００２２】
装飾部５ｃ（５）は、例えば袋状に縫製された布や樹脂により構成され、或いは木や金属により構成される。縫製された布や樹脂により構成される場合、装飾部５ｃ（５）は袋内に厚紙や布、或いは綿などにより構成される補強材（図示せず）を備えてもよい。これにより、尾を備えた動物の置物であるような印象を看者に与える。
【００２３】
図３は、ペーパーロールカバー１がペーパーロール７０に装着された状態の一例を示す平面図である。図例において被覆部３はペーパーロール７０の外周に巻回されることにより、ペーパーロール７０を被覆する。被覆部３は、０．１ミリメートルから１０ミリメートル程度の厚さを有し、好ましくは０．１ミリメートルから３ミリメートル程度の厚さを有する。これにより、ペーパーロールカバー１は嵩張ることなく容易に折り畳み可能となる。図例では、動物の耳状の装飾部５ａ（５）は、被覆部３の上端部付近に配設される。そして、装飾部５ａ（５）は、被覆部３がペーパーロール７０を被覆した状態において上方向に突出する。
【００２４】
図４は、ペーパーロール７０に装着されていない状態のペーパーロールカバー１の構成の一例を示す図である。図例において、被覆部３は略長方形状に構成される。被覆部３は、長さ方向にペーパーロール７０の外周長より長く構成される。被覆部３は、長さ方向の直交方向にペーパーロール７０の軸方向長さと略同じ長さを有する。被覆部３は、長さ方向における両端付近に一対の係止部７を備える。係止部７は、粘着テープ、掛け具、ファスナーや面ファスナーなどにより構成される。各係止部７は、被覆部３がペーパーロール７０を被覆した状態において係止可能な位置に配設される。ユーザーがペーパーロール７０にペーパーロールカバー１を装着する場合、ペーパーロールカバー１をペーパーロール７０の外周方向に巻回させて被覆部３の両端の係止部７同士を係合させることにより、容易にペーパーロールカバー１を装着させることができる。
【００２５】
なお、図例とは異なり、係止部７は被覆部３の長さ方向におけるいずれか一端に配設されてもよい。係止部７が粘着テープや面ファスナーにより構成される場合、被覆部３がペーパーロール７０の外周に巻回されると、一端に配設される係止部７は、巻回された状態で被覆部３に付着し、或いは係合する。これにより、ペーパーロールカバー１をペーパーロール７０に装着した状態を良好に保持できる。
【００２６】
装飾部５ａ（５）及び装飾部５ｂ（５）は、被覆部３がペーパーロール７０を被覆する状態において、ペーパーロール７０を介して係止部７の略反対側に配設されてもよい。図４の例では、一の係止部７は動物の尾を模した装飾部５ｃ（５）近傍に配設される。被覆部３がペーパーロール７０を被覆すると、装飾部５ａ（５）及び装飾部５ｂ（５）と、装飾部５ｃ（５）とは、ペーパーロール７０を介して略反対方向にある。そして、デザイン部４や装飾部５ａ（５）、装飾部５ｂ（５）により構成される動物の顔の正面方向からペーパーロール７０を見た場合、係止部７は背面側に隠蔽される。すなわち、動物の顔を正面視した場合、係止部７がペーパーロール７０を介して背面側に隠蔽されるため、美観が損なわれるのを防止できる。
【００２７】
図５は、上述した構成とは異なる構成のペーパーロールカバー１の一例を示す図である。図５の例では、ペーパーロールカバー１の被覆部３は、側面側被覆部３ａ（３）と、上面側被覆部３ｂ（３）とをさらに備える。側面側被覆部３ａ（３）と上面側被覆部３ｂ（３）とは一体的に形成される。これにより、ユーザーは、ペーパーロール７０にペーパーロールカバー１を上側から覆い被せることにより容易に被覆可能である。また、ペーパーロール７０の上面に塵芥等が付着するのを防止でき、清潔性を向上させる。側面側被覆部３ａ（３）と上面側被覆部３ｂ（３）とは、互いに分離可能に構成されてもよい。この場合、側面側被覆部３ａ（３）と上面側被覆部３ｂ（３）とが当接する箇所は、ファスナーや掛け具、面ファスナーなどにより着脱可能に係合される。また、ペーパーロールカバー１は、図示しない底面部被覆部を備えてもよい。
【００２８】
（第２実施形態）
本実施形態において、ペーパーロールカバー１を装着した複数のペーパーロール７０を連設することにより、所定のキャラクターを形成する場合を説明する。図６は、本実施形態におけるペーパーロールカバー１を装着したペーパーロール７０の態様の一例を示す図である。ペーパーロールカバー１は、動物の腕を模した一対の装飾部５ｄ（５）を備える。装飾部５ｄ（５）は、被覆部３の幅方向における中央部付近に配設される。各装飾部５ｄ（５）は、ペーパーロール７０を介して略反対側に配置される。各装飾部５ｄ（５）は、例えば袋状に縫製された布や樹脂により構成され、或いは木や金属により構成される。縫製された布や樹脂により構成される場合、装飾部５ｄ（５）は袋内に厚紙や布、或いは綿などにより構成される補強材（図示せず）を備えてもよい。これにより、装飾部５ｄ（５）は外方向に良好に突出した状態を保持可能となり、動物の腕がペーパーロール７０から突出しているかのような外観を備える。
【００２９】
ペーパーロールカバー１は、動物の足を模した一対の装飾物５ｅ（５）を備える。装飾部５ｅ（５）は、被覆部３の下端部付近に各々配設される。装飾部５ｅ（５）は、例えば袋状に縫製された布や樹脂により構成され、或いは木や金属により構成される。縫製された布や樹脂により構成される場合、装飾部５ｅ（５）は袋内に厚紙や布、或いは綿などにより構成される補強材（図示せず）を備えてもよい。ペーパーロールカバー１は、装飾部５ｄ（５）及び装飾部５ｅ（５）を備えることにより、恰も動物の胴体部分を模した置物のような外観を備える。
【００３０】
図７は、ペーパーロールカバー１が装着された複数のペーパーロール７０が連設されて所定のキャラクターを構成する場合の一例を示す図である。図例では、デザイン部４と、装飾部５ａ（５）と、装飾部５ｂ（５）とを備えるペーパーロールカバー１が装着されたペーパーロール７０と、装飾部５ｄ（５）と、装飾部５ｅ（５）とを備えるペーパーロールカバー１が装着されたペーパーロール７０とが、軸方向に連設される。
【００３１】
デザイン部４と、装飾部５ａ（５）と、装飾部５ｂ（５）とを備えるペーパーロールカバー１が装着されたペーパーロール７０は、恰も動物の頭部を模した置物のような外観を有する。装飾部５ｄ（５）と、装飾部５ｅ（５）とを備えるペーパーロールカバー１が装着されたペーパーロール７０は、恰も動物の胴体部分を模した置物のような外観を有する。図７のように頭部を模したペーパーロール７０と、胴体部分を模したペーパーロール７０とを軸方向に連設することにより、一の動物を構成する。複数のペーパーロール７０が保管される場合に、図例のように頭部を模したペーパーロールカバー１と胴体部分を模したペーパーロールカバー１とを各々ペーパーロール７０に装着して配置することにより、統一感のあるキャラクターが形成され、室内の装飾性がより高まる。殊に、同種のペーパーロール７０は、未使用であれば互いに同じ大きさを有する。そのため、ユーザーは、未使用のペーパーロール７０にそれぞれペーパーロールカバー１を装着して並べるだけで、一のキャラクターを容易に形成することができる。
【００３２】
なお、図７の例とは異なり、ペーパーロールカバー１は、ペーパーロールカバー１が装着された複数のペーパーロール７０の外周における所定部分同士を連設してもよい。また、図７の例とは異なり、複数のペーパーロール７０が連設されることにより、一体性を有する構造物を形成してもよい。
【００３３】
図８は、ペーパーロールカバー１が装着された複数のペーパーロール７０が連設される場合の一例における側面図である。ペーパーロールカバー１は、連設されるペーパーロール７０同士を係合する係合部１０を備える。係合部１０は、粘着材や掛け具、或いはファスナーや面ファスナーにより構成される。図例では、係合部１０は、被覆部３において他のペーパーロール７０と接する側の端部付近に配設される。係合部１０を備えることにより、ペーパーロールカバー１は、ペーパーロールカバー１が装着される複数のペーパーロール７０同士が連設される状態を良好に保持できる。
【００３４】
図９は、本実施形態におけるペーパーロールカバー１の構成の一例を示す図である。図９（ａ）は、動物の頭部を模したペーパーロールカバー１の構成の一例を示す図である。ペーパーロールカバー１は、下端部付近に係合部１０を備える。図例において、２つの係合部１０が備えられており、各係合部１０は、ペーパーロール７０に装着した状態においてペーパーロール７０を介して略反対側に配設される。
【００３５】
図９（ｂ）は、動物の胴体部を模したペーパーロールカバー１の構成の一例を示す図である。ペーパーロールカバー１は、上端部付近に係合部１０を備える。図例において、２つの係合部１０が備えられ、各係合部１０は、ペーパーロール７０に装着した状態においてペーパーロール７０を介して略反対側に配設される。図９（ａ）に示す係合部１０と図９（ｂ）に示す係合部１０とは一対であり、それぞれ係合する係合部１０に対応する位置に配置されている。
【００３６】
図９の例では、一対となる係合部１０が２組備えられている。そして、各一対の係合部１０は、ペーパーロールカバー１がペーパーロール７０に装着された状態において、ペーパーロール７０を介して略反対側に配設されている。そのため、ペーパーロールカバー１は、ペーパーロール７０が連設されている状態においていかなる方向からの衝撃を受けても、連設されている状態を良好に保持可能である。
【００３７】
なお、係合部１０は、装飾部５の所定位置に配設されてもよい。図１０は、装飾部５に係合部１０が配設される場合の一例を示す拡大図である。動物の腕を模した装飾部５ｄ（５）の端部付近に、係合部１０が配設される。装飾部５ｄ（５）の端部は、動物の手のような形状を有する。そして、図例のように係合部１０が配設されることにより、動物の四肢における肉球のような外観を有する。このような係合部１０を備えることにより、ペーパーロールカバー１の装飾性をより高めると共に、係合部１０を目立たなくすることができる。
【００３８】
図１１は、係合部１０が装飾部５の所定位置に配設される場合におけるペーパーロール７０同士の連設態様の一例を示す図である。図１０に示すように、係合部１０が装飾部５ｄ（５）の端部付近に配設されることにより、一対の係合部１０同士が係合されると、恰も装飾部５ｄ（５）同士が係合しているように見え、図１１に示すように恰も動物同士が手を繋いているように見える。ペーパーロールカバー１を装着する複数のペーパーロール７０を組み合わせることにより美観を高めることができ、室内の装飾性が高まるのである。
【００３９】
図１１に示す例とは異なり、係合部１０によらずペーパーロールカバー１を装着したペーパーロール７０を横方向に連設することにより、所定のキャラクターを構成してもよい。
【００４０】
（変形例）
以上、本発明に関する実施形態を説明したが、本発明は上記実施形態において説明した内容のものに限られるのではなく、種々の変形例が適用可能である。
【００４１】
上記実施形態において、ペーパーロールカバー１は、略長方形であり係止部７を備える場合を示した。しかし、本発明はこれに限られず、ペーパーロールカバー１はゴムなどの伸縮性を備える材質を包含する環状の被覆部３を備えてもよい。これにより、ペーパーロールカバー１をペーパーロール７０に装着させる際に、ユーザーは被覆部３を伸長させ、被覆部３により形成される孔にペーパーロール７０を挿通させると共に、ペーパーロール７０を挿通させた状態で被覆部３を収縮させることにより、ペーパーロール７０を良好に保持させることが可能となる。
【００４２】
また、上記実施形態において、ペーパーロールカバー１は、トイレットペーパーやキッチンペーパーにより構成されるペーパーロール７０を包装する場合を示した。しかし、本発明はこれに限られず、円柱状のウェットティッシュボックスを包装してもよいし、ロール状の印刷用紙等を包装してもよい。さらに、本発明における包装具は、ティッシュペーパーを内蔵するティッシュボックスのように円柱状とは異なる形状のものを包装するものであってもよい。
【００４３】
さらに、上記実施形態において、１つのペーパーロールカバー１が１つのペーパーロール７０を被覆する場合を示した。しかし、本発明はこれに限られず、一つのペーパーロールカバー１が複数のペーパーロール７０を被覆してよい。図１２は、一のペーパーロールカバー１が複数のペーパーロール７０を被覆する場合の一例を示した図である。ペーパーロールカバー１は、軸方向に連設したペーパーロール７０の外周を被覆する。ペーパーロールカバー１は、連設されたペーパーロール７０の軸方向長さと略同じ幅を有する。これにより、ペーパーロールカバー１は、複数のペーパーロール７０を一回の被覆作業により被覆することができ、作業効率を向上させる。
【００４４】
さらに、上記第２実施形態において、ペーパーロール７０同士を係合する係合部１０を備える場合を示した。しかし、本発明はこれに限られず、係合部１０は、粘着テープや面ファスナーにより構成され、壁面や布に付着可能なものであってよい。或いは、ペーパーロールカバー１は、フックなどの掛け具により構成される掛止部を備えてもよい。ペーパーロールカバー１を装着したペーパーロール７０が、壁面や布に付着し、或いは掛止可能な位置に掛止されることにより、室内において床面をペーパーロール７０が占有する状態を解消でき、室内のスペースの有効利用を促進する。
【符号の説明】
【００４５】
１    ペーパーロールカバー（包装具）
３    被覆部
５    装飾部
７    係止部
１０  係合部
【図１】
2019001489.tif 000003
【図２】
2019001489.tif 000004
【図３】
2019001489.tif 000005
【図４】
2019001489.tif 000006
【図５】
2019001489.tif 000007
【図６】
2019001489.tif 000008
【図７】
2019001489.tif 000009
【図８】
2019001489.tif 000010
【図９】
2019001489.tif 000011
【図１０】
2019001489.tif 000012
【図１１】
2019001489.tif 000013
【図１２】
2019001489.tif 000014